【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
ａ）以下の反応生成物からなる水分散性NCO末端ポリウレタンプレポリマーを生成する工程：
ｉ）公開されているとおり、ポリオールを得るためのアルコール分解／エステル化を用いずに得られたリシノール酸天然エステル及び疎水性／親水性オリゴマージオール、並びにカルボキシル基を有するポリオール類との混合物からなるポリオール成分、並びに
ｉｉ）公開されているとおり、化学量論的過剰の芳香族性ポリイソシアネート成分、
ｂ）公開されているとおり、中和剤によりプレポリマーを中和する工程、
ｃ）公開されているとおり、溶媒を含まない水中にプレポリマーを分散させる工程、及び
ｄ）公開されているとおり、連鎖延長剤とプレポリマーとを反応させる工程
により生成される天然油性ポリウレタン分散物であって、
１００℃未満の温度で形成される該プレポリマーが、公開されているように業界で幅広く適用可能なように優れた特徴を有する、天然油性ポリウレタン分散物。
【請求項２】
前記プレポリマーが４０℃〜１００℃の範囲の温度で形成される、請求項１に記載の天然油性ポリウレタン分散物。
【請求項３】
前記リシノール酸天然エステル性ポリオールが、天然エステル油ポリオールを得るためのアルコール分解／エステル化を使用しない、複数段階のプロセスによって得られる、請求項１に記載の天然油性ポリウレタン分散物。
【請求項４】
リシノール酸天然エステル及び疎水性／親水性オリゴマージオールの製造に使用される前記天然油が
ａ．カノーラ油、トール油、大豆油、サフラワー油、亜麻仁油、ひまし油、コーン油、ひまわり油、オリーブ油、キャノーラ油、ゴマ油、綿実油、パーム系油、なたね油、きり油、落花生油、ジャトロファ油(jatropha oil)、及びこれらの混合、並びに／又は
ｂ．高オレイン酸サフラワー油、高オレイン酸大豆油、高オレイン酸カノーラ油、高オレイン酸落花生油、高オレイン酸ひまわり油、高エルカ酸菜種油(クランべ油)等の天然又は遺伝子組換え野菜油であってもよい植物性油、並びに／又は
ｃ．魚油、ラード、獣脂等の動物性油、並びに／又は
ｄ．収量の増加及び／又は選択的な脂肪酸の分配を得るために遺伝子が組換えられていてもよい藻類油等の微生物油
を含む、請求項１に記載の天然油性ポリウレタン分散物。
【請求項５】
前記リシノール酸天然エステル及び疎水性／親水性オリゴマージオールがポリオール成分の全重量に対して９５重量％までを占める、請求項１に記載の天然油性ポリウレタン分散物。
【請求項６】
前記芳香族性ポリイソシアネート成分がトルエンジイソシアネート及び／又はメチレンジフェニルジイソシアネートの異性体である、請求項１に記載の天然油性ポリウレタン分散物。
【請求項７】
前記ポリイソシアネート成分の前記ポリオール成分に対するモル比が２．２：１〜１：１、より好ましくは２：１〜１．３：１である、請求項１に記載の天然油性ポリウレタン分散物。
【請求項８】
前記ＮＣＯ末端プレポリマーが５℃〜９０℃の蒸留水／脱イオン水中で攪拌によって分散される、請求項１に記載の天然油性ポリウレタン分散物。
【請求項９】
揮発性有機化学物質、溶出性第３級アミン触媒及び非反応性有機アミン連鎖停止剤化合物を含んでいない、請求項１に記載の天然油性ポリウレタン分散物。
【請求項１０】
非可塑性である、請求項１に記載の天然油性ポリウレタン分散物。
【請求項１１】
生分解性である、請求項１に記載の天然油性ポリウレタン分散物。
【手続補正２】
【補正対象書類名】明細書
【補正対象項目名】００２０
【補正方法】変更
【補正の内容】
【００２０】
本発明の基本的な目的は、水分散性のＮＣＯ末端ポリウレタンプレポリマーの形成による、高分子量かつ水性の陰イオン性ポリウレタン／ウレアポリマーの天然油性ポリウレタン分散物を開示することである。ここで、ＮＣＯ末端ポリウレタンプレポリマーは、主に［天然エステル油(natural ester oil)を得るためにアルコール分解／エステル化を使用せずに準備した］リシノール酸天然エステル(ricinoleated natural ester)及び疎水性／親水性オリゴマージオール(hydrophobic/hydrophilic oligomeric diols)を含むポリオール成分と芳香族性ポリイソシアネート成分との低温での反応生成物から実質的に構成され、さらに溶媒を含まない水(solvent-free water)中で中和及び分散され、連鎖延長剤と反応させたものである。
【手続補正３】
【補正対象書類名】明細書
【補正対象項目名】００３３
【補正方法】変更
【補正の内容】
【００３３】
本発明により、ポリマー−ポリオール混合物により製造される天然油性ポリウレタン分散物が提供される。ポリマー−ポリオール混合物には、リシノール酸天然エステルとカルボキシ基含有ポリオール類との混合物が含まれる。
【手続補正４】
【補正対象書類名】明細書
【補正対象項目名】００３４
【補正方法】変更
【補正の内容】
【００３４】
リシノール酸天然エステル及び疎水性／親水性オリゴマージオール(hydrophobic/hydrophilic oligomeric diols)は、天然エステル油を得るためのアルコール分解／エステル化のシステムを使用せずに、複数の段階を経て製造される。使用される天然油には、植物性油(例：野菜油)や動物性油が含まれる。有益な天然油には、カノーラ油、トール油、大豆油、サフラワー油、亜麻仁油、ひまし油、コーン油、ひまわり油、オリーブ油、キャノーラ油、ゴマ油、綿実油、パーム系油、なたね油、きり油、落花生油、ジャトロファ油(jatropha oil)、及びこれらの混合が含まれる。例えば、魚油、ラード、獣脂といった動物性油も使用される。植物性油は、天然、または遺伝子組換え野菜油等である。これには、例えば、高オレイン酸サフラワー油、高オレイン酸大豆油、高オレイン酸カノーラ油、高オレイン酸落花生油、高オレイン酸ひまわり油、高エルカ酸菜種油(クランべ油)が含まれる。また、藻類油等の微生物油も含まれ、これらは収量の増加及び／又は選択的な脂肪酸の分配を得るために遺伝子を組換えたものを含む。
【手続補正５】
【補正対象書類名】明細書
【補正対象項目名】００３５
【補正方法】変更
【補正の内容】
【００３５】
本発明の好ましい態様においては、本明細書に公開されている通り、リシノール酸天然エステル及び疎水性／親水性オリゴマージオール(hydrophobic/hydrophilic oligomeric diols)はポリオール組成物の全重量の約９５重量％程度までを占める。
【手続補正６】
【補正対象書類名】明細書
【補正対象項目名】００３７
【補正方法】変更
【補正の内容】
【００３７】
上記ポリオール成分は、任意に短鎖グリコールを含んでいてもよい。
水分散性ＮＣＯ末端ポリウレタンプレポリマーの生成に使用されるポリイソシネートは、トルエンジイソシアネート及びメチレンジフェニルジイソシアネートの異性体である。ポリイソシアネート成分のポリオール成分に対するモル比は、２．２：１〜１：１であり、好ましくは２：１〜１．３：１である。
【手続補正７】
【補正対象書類名】明細書
【補正対象項目名】００６３
【補正方法】削除
【補正の内容】
【手続補正８】
【補正対象書類名】明細書
【補正対象項目名】００６４
【補正方法】削除
【補正の内容】
【手続補正９】
【補正対象書類名】明細書
【補正対象項目名】００６５
【補正方法】削除
【補正の内容】
【手続補正１０】
【補正対象書類名】明細書
【補正対象項目名】００６６
【補正方法】削除
【補正の内容】